(57)【要約】【課題】文書の作成における自然環境保護に関する施策を提示する場合において、文書の対象と用途に適合するデザインに影響を与えてしまう自然環境保護に関する施策を提示してしまうことを抑制するようにした情報処理装置を提供する。【解決手段】情報処理装置の受付手段は、文書の配布先である対象と用途を受け付け、第１の抽出手段は、文書の対象と用途の組み合わせに対応させて、文書におけるデザインを記憶している情報から、対象と用途に対応するデザインを抽出し、第２の抽出手段は、デザインとデザインに関連する自然環境保護に関する施策を対応させて記憶している情報から、デザインに対応する自然環境保護に関する施策を抽出し、第３の抽出手段は、自然環境保護に関する施策を記憶している情報から、抽出された自然環境保護に関する施策を除いた自然環境保護に関する施策を抽出し、提示手段は、抽出した自然環境保護に関する施策を提示する。【選択図】図１
2012068806.tif 000002
【特許請求の範囲】
【請求項１】
文書の配布先である対象と用途を受け付ける受付手段と、
文書の対象と該文書の用途の組み合わせに対応させて、該文書におけるデザインを記憶している第１の情報から、前記受付手段によって受け付けられた対象と用途に対応するデザインを抽出する第１の抽出手段と、
デザインと該デザインに関連する自然環境保護に関する施策を対応させて記憶している第２の情報から、前記第１の抽出手段によって抽出されたデザインに対応する自然環境保護に関する施策を抽出する第２の抽出手段と、
自然環境保護に関する施策を記憶している第３の情報から、前記第２の抽出手段によって抽出された自然環境保護に関する施策を除いた自然環境保護に関する施策を抽出する第３の抽出手段と、
前記第３の抽出手段によって抽出された自然環境保護に関する施策を、前記受付手段によって受け付けられた対象と用途を指示した利用者に提示する提示手段
を具備することを特徴とする情報処理装置。
【請求項２】
前記受付手段は、文書と該文書の対象と用途を受け付け、
前記受付手段によって受け付けられた文書を要素に分解する分解手段と、
前記分解手段によって分解された要素は、前記第３の抽出手段によって抽出された自然環境保護に関する施策を満たしているか否かを判断する判断手段と、
前記判断手段によって自然環境保護に関する施策を満たしていないと判断された要素を抽出する第４の抽出手段
をさらに具備し、
前記提示手段は、前記第４の抽出手段によって抽出された要素に対応する前記第３の抽出手段によって抽出された自然環境保護に関する施策を、前記受付手段によって受け付けられた文書を指示した利用者に提示する
ことを特徴とする請求項１に記載の情報処理装置。
【請求項３】
前記第４の抽出手段によって抽出された要素に、前記第３の抽出手段によって抽出された自然環境保護に関する施策を施した場合の資源の使用量と施さない場合の資源の使用量の差を算出する算出手段
をさらに具備し、
前記提示手段は、さらに前記算出手段によって算出された資源の使用量の差を提示する
ことを特徴とする請求項２に記載の情報処理装置。
【請求項４】
前記第４の抽出手段によって抽出された要素の数に対する、前記第３の抽出手段によって抽出された自然環境保護に関する施策を施した要素の数の割合を算出する割合算出手段
をさらに具備し、
前記提示手段は、前記割合算出手段によって算出された割合を提示する
ことを特徴とする請求項２又は３に記載の情報処理装置。
【請求項５】
コンピュータを、
文書の配布先である対象と用途を受け付ける受付手段と、
文書の対象と該文書の用途の組み合わせに対応させて、該文書におけるデザインを記憶している第１の情報から、前記受付手段によって受け付けられた対象と用途に対応するデザインを抽出する第１の抽出手段と、
デザインと該デザインに関連する自然環境保護に関する施策を対応させて記憶している第２の情報から、前記第１の抽出手段によって抽出されたデザインに対応する自然環境保護に関する施策を抽出する第２の抽出手段と、
自然環境保護に関する施策を記憶している第３の情報から、前記第２の抽出手段によって抽出された自然環境保護に関する施策を除いた自然環境保護に関する施策を抽出する第３の抽出手段と、
前記第３の抽出手段によって抽出された自然環境保護に関する施策を、前記受付手段によって受け付けられた対象と用途を指示した利用者に提示する提示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、ＣＰＵとメモリ及び入出力装置と外部記憶装置で構成されるコンピュータ、あるいはコンピュータを利用して構成した文書作成装置であって、作成中の文書ファイルをより少ないページ数で印字できるように、文書の構成を変更する方法を提供することを目的とし、文書作成に際して設定された書式サイズと行間ピッチとを読み込み、この読み込んだ書式サイズと行間ピッチとに基づいて、最終ページの文字行を前ページに圧縮するために必要な行間ピッチを算出し、この算出した行間ピッチにより文書ファイルの行間ピッチを変更し、作成中の文書ファイルを、より少ないページ数とすることにより、用紙の使用枚数を削減して、省資源化が計れることが開示されている。
【先行技術文献】
【特許文献】
【０００３】
【特許文献１】特開平０５−２６６０１３号公報
【発明の概要】
【発明が解決しようとする課題】
【０００４】
本発明は、文書の作成における自然環境保護に関する施策を提示する場合において、文書の対象と用途に適合するデザインに影響を与えてしまう自然環境保護に関する施策を提示してしまうことを抑制するようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、文書の配布先である対象と用途を受け付ける受付手段と、文書の対象と該文書の用途の組み合わせに対応させて、該文書におけるデザインを記憶している第１の情報から、前記受付手段によって受け付けられた対象と用途に対応するデザインを抽出する第１の抽出手段と、デザインと該デザインに関連する自然環境保護に関する施策を対応させて記憶している第２の情報から、前記第１の抽出手段によって抽出されたデザインに対応する自然環境保護に関する施策を抽出する第２の抽出手段と、自然環境保護に関する施策を記憶している第３の情報から、前記第２の抽出手段によって抽出された自然環境保護に関する施策を除いた自然環境保護に関する施策を抽出する第３の抽出手段と、前記第３の抽出手段によって抽出された自然環境保護に関する施策を、前記受付手段によって受け付けられた対象と用途を指示した利用者に提示する提示手段を具備することを特徴とする情報処理装置である。
【０００６】
請求項２の発明は、前記受付手段は、文書と該文書の対象と用途を受け付け、前記受付手段によって受け付けられた文書を要素に分解する分解手段と、前記分解手段によって分解された要素は、前記第３の抽出手段によって抽出された自然環境保護に関する施策を満たしているか否かを判断する判断手段と、前記判断手段によって自然環境保護に関する施策を満たしていないと判断された要素を抽出する第４の抽出手段をさらに具備し、前記提示手段は、前記第４の抽出手段によって抽出された要素に対応する前記第３の抽出手段によって抽出された自然環境保護に関する施策を、前記受付手段によって受け付けられた文書を指示した利用者に提示することを特徴とする請求項１に記載の情報処理装置である。
【０００７】
請求項３の発明は、前記第４の抽出手段によって抽出された要素に、前記第３の抽出手段によって抽出された自然環境保護に関する施策を施した場合の資源の使用量と施さない場合の資源の使用量の差を算出する算出手段をさらに具備し、前記提示手段は、さらに前記算出手段によって算出された資源の使用量の差を提示することを特徴とする請求項２に記載の情報処理装置である。
【０００８】
請求項４の発明は、前記第４の抽出手段によって抽出された要素の数に対する、前記第３の抽出手段によって抽出された自然環境保護に関する施策を施した要素の数の割合を算出する割合算出手段をさらに具備し、前記提示手段は、前記割合算出手段によって算出された割合を提示することを特徴とする請求項２又は３に記載の情報処理装置である。
【０００９】
請求項５の発明は、コンピュータを、文書の配布先である対象と用途を受け付ける受付手段と、文書の対象と該文書の用途の組み合わせに対応させて、該文書におけるデザインを記憶している第１の情報から、前記受付手段によって受け付けられた対象と用途に対応するデザインを抽出する第１の抽出手段と、デザインと該デザインに関連する自然環境保護に関する施策を対応させて記憶している第２の情報から、前記第１の抽出手段によって抽出されたデザインに対応する自然環境保護に関する施策を抽出する第２の抽出手段と、自然環境保護に関する施策を記憶している第３の情報から、前記第２の抽出手段によって抽出された自然環境保護に関する施策を除いた自然環境保護に関する施策を抽出する第３の抽出手段と、前記第３の抽出手段によって抽出された自然環境保護に関する施策を、前記受付手段によって受け付けられた対象と用途を指示した利用者に提示する提示手段として機能させるための情報処理プログラムである。
【発明の効果】
【００１０】
請求項１の情報処理装置によれば、文書の作成における自然環境保護に関する施策を提示する場合において、文書の対象と用途に適合するデザインに影響を与えてしまう自然環境保護に関する施策を提示してしまうことを抑制することができる。
【００１１】
請求項２の情報処理装置によれば、既に作成された文書の要素に対応する自然環境保護に関する施策を提示することができる。
【００１２】
請求項３の情報処理装置によれば、自然環境保護に関する施策を施した場合の資源の使用量と施さない場合の資源の使用量の差を提示することができる。
【００１３】
請求項４の情報処理装置によれば、自然環境保護に関する施策を施した要素の数の割合を提示することができる。
【００１４】
請求項５の情報処理プログラムによれば、文書の作成における自然環境保護に関する施策を提示する場合において、文書の対象と用途に適合するデザインに影響を与えてしまう自然環境保護に関する施策を提示してしまうことを抑制することができる。
【図面の簡単な説明】
【００１５】
【図１】第１の実施の形態の構成例についての概念的なモジュール構成図である。
【図２】第１の実施の形態による処理例を示すフローチャートである。
【図３】対象用途デザイン対応テーブルのデータ構造例を示す説明図である。
【図４】デザインエコ施策対応テーブルのデータ構造例を示す説明図である。
【図５】エコ施策テーブルのデータ構造例を示す説明図である。
【図６】第１の実施の形態による提示例を示す説明図である。
【図７】第２の実施の形態の構成例についての概念的なモジュール構成図である。
【図８】第２の実施の形態による処理例を示すフローチャートである。
【図９】エコ施策判断条件テーブルのデータ構造例を示す説明図である。
【図１０】第２の実施の形態による提示例を示す説明図である。
【図１１】第３の実施の形態の構成例についての概念的なモジュール構成図である。
【図１２】第３の実施の形態による処理例を示すフローチャートである。
【図１３】トナー使用量テーブルのデータ構造例を示す説明図である。
【図１４】第３の実施の形態による提示例を示す説明図である。
【図１５】第４の実施の形態の構成例についての概念的なモジュール構成図である。
【図１６】第４の実施の形態による処理例を示すフローチャートである。
【図１７】第４の実施の形態による処理例を示すフローチャートである。
【図１８】第４の実施の形態による提示例を示す説明図である。
【図１９】本実施の形態を実現するコンピュータのハードウェア構成例を示すブロック図である。
【発明を実施するための形態】
【００１６】
以下、図面に基づき本発明を実現するにあたっての好適な各種の実施の形態の例を説明する。
＜第１の実施の形態＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１７】
第１の実施の形態である情報処理装置は、図１の例に示すように、受付モジュール１１０、デザイン抽出モジュール１２０、対象用途デザイン対応記憶モジュール１２５、デザイン対応施策抽出モジュール１３０、デザイン関連エコ施策記憶モジュール１３５、エコ施策抽出モジュール１４０、エコ施策記憶モジュール１４５、提示モジュール１９０を有している。主に、文書を新たに作成する場合に用いられるものである。
【００１８】
受付モジュール１１０は、デザイン抽出モジュール１２０と接続されており、キーボード、マウス、タッチパネル等に対する利用者の操作に応じて、文書の配布先である対象と用途を受け付ける。そして、文書の対象と用途をデザイン抽出モジュール１２０へ渡す。
ここで、文書とは、テキストデータ、場合によっては画像、動画、音声等の電子データ、又はこれらの組み合わせであり、記憶、編集及び検索等の対象となり、システム又は利用者間で個別の単位として交換できるものをいい、これらに類似するものを含む。以下の説明では、主に印刷可能な文書を対象例とする。
文書の対象とは、その文書の配布先であり、例えば、役員、部長、チームメンバ等の職階等であってもよいし、職種、個人名、組織名等であってもよい。配布先は、この時点では、確定していてもよいが、予定であってもよい。
文書の用途とは、その文書が使われる場面（シーン）であり、例えば、プレゼンテーション、参照用資料等がある。
なお、文書の対象と用途は予め定められたものを用いてもよく、その場合、操作者の選択操作によって選択するようにしてもよい。例えば、ラジオボックス等既存の技術を用いて選択し得るようにしてもよい。
【００１９】
対象用途デザイン対応記憶モジュール１２５は、デザイン抽出モジュール１２０と接続されており、文書の対象とその文書の用途の組み合わせに対応させて、その文書におけるデザインを記憶している。例えば、対象用途デザイン対応テーブル３００を記憶している。図３は、対象用途デザイン対応テーブル３００のデータ構造例を示す説明図である。対象用途デザイン対応テーブル３００は、対象欄３１０、用途欄３２０、重要デザイン欄３３０を有している。対象欄３１０は、文書の対象を記憶している。用途欄３２０は、文書の用途を記憶している。重要デザイン欄３３０は、その対象と用途の組み合わせにおいて、特に重要とされるデザインに関する情報（デザインの観点等）を記憶している。例えば、対象が役員であり、用途がプレゼンテーションである場合は、「類似の機能を同じ色、同じ形、同じ大きさの絵やマークでまとめてあるか」、「文字が読みやすい大きさになっているか」、「各ページにおいて情報量が大きすぎないか」等がある。この対象用途デザイン対応テーブル３００は分野毎に生成しておいてもよい。各分野の文書における重要なデザイン要素は、「デザイン評価、感性工学，心「こころ」とデザイン，第５５回春季研究発表大会」等に示されているように、既存の手法を用いてテーブルを作成してよい。また、重要であるか否かの判断処理は、有意差等を用いた既存手法を用いてもよい。
【００２０】
デザイン抽出モジュール１２０は、受付モジュール１１０、対象用途デザイン対応記憶モジュール１２５、デザイン対応施策抽出モジュール１３０と接続されており、対象用途デザイン対応記憶モジュール１２５から、受付モジュール１１０によって受け付けられた文書の対象と用途に対応するデザインを抽出する。例えば、対象用途デザイン対応記憶モジュール１２５内の対象用途デザイン対応テーブル３００を用いる場合は、受付モジュール１１０によって受け付けられた文書の対象と用途の組み合わせに該当する対象欄３１０と用途欄３２０の行における重要デザイン欄３３０内に記憶されている内容を抽出する。
【００２１】
デザイン関連エコ施策記憶モジュール１３５は、デザイン対応施策抽出モジュール１３０と接続されており、デザインとそのデザインに関連する自然環境保護に関する施策を対応させて記憶している。ここで、自然環境保護に関する施策（以下、エコ施策ともいう）とは、いわゆるエコロジー（Ｅｃｏｌｏｇｙ）活動の一環であり、具体例として、二酸化炭素の排出削減等があるが、文書の作成においても考慮され得るものである。例えば、文書作成におけるエコ施策として、文字を小さくすること、使用する色を減らすこと等が挙げられる。例えば、文字を小さくすることによって、印刷時に使用されるトナー量を減少させること、印刷される用紙の枚数を減少させることとなる。
デザイン関連エコ施策記憶モジュール１３５は、例えば、デザインエコ施策対応テーブル４００を記憶している。図４は、デザインエコ施策対応テーブル４００のデータ構造例を示す説明図である。デザインエコ施策対応テーブル４００は、デザイン欄４１０、関連エコ施策欄４２０を有している。デザイン欄４１０は、デザインを記憶している。対象用途デザイン対応テーブル３００の重要デザイン欄３３０に記憶されているデザインに該当する。関連エコ施策欄４２０は、そのデザインに関連するエコ施策を記憶している。例えば、「文字が読みやすい大きさになっているか」について、関連するエコ施策として「文字を小さくする」等がある。また、「類似の機能を同じ色、同じ形、同じ大きさの絵やマークでまとめてあるか」について、関連するエコ施策として「カラーを減らす」等がある。デザインとエコ施策との関連としては、そのデザインを実現するために、そぐわないエコ施策という関係例がある。
【００２２】
デザイン対応施策抽出モジュール１３０は、デザイン抽出モジュール１２０、デザイン関連エコ施策記憶モジュール１３５、エコ施策抽出モジュール１４０と接続されており、デザイン関連エコ施策記憶モジュール１３５から、デザイン抽出モジュール１２０によって抽出されたデザインに対応するエコ施策を抽出する。例えば、デザイン関連エコ施策記憶モジュール１３５内のデザインエコ施策対応テーブル４００を用いる場合は、デザイン抽出モジュール１２０によって抽出されたデザインに該当するデザイン欄４１０の行における関連エコ施策欄４２０内に記憶されているエコ施策を抽出する。
【００２３】
エコ施策記憶モジュール１４５は、エコ施策抽出モジュール１４０と接続されており、文書作成におけるエコ施策を記憶している。エコ施策記憶モジュール１４５は、例えば、エコ施策テーブル５００を記憶している。図５は、エコ施策テーブル５００のデータ構造例を示す説明図である。エコ施策テーブル５００は、エコ施策欄５１０を有している。エコ施策欄５１０は、文書作成におけるエコ施策を記憶している。例えば、「文字を小さくする」、「カラー使用量を減らす」、「機密内容を同じページにまとめる」等がある。
【００２４】
エコ施策抽出モジュール１４０は、デザイン対応施策抽出モジュール１３０、エコ施策記憶モジュール１４５、提示モジュール１９０と接続されており、エコ施策記憶モジュール１４５から、デザイン対応施策抽出モジュール１３０によって抽出されたエコ施策を除いたエコ施策を抽出する。ここで抽出するエコ施策は、そのデザインを実現するために、そぐわないエコ施策以外の施策（したがって、そのデザインを実現するためには関連性が低いエコ施策）となる。
前述の例のように、対象として「役員」、用途として「プレゼンテーション」の組み合わせを受け付けた場合、デザイン抽出モジュール１２０によって、「類似の機能を同じ色、同じ形、同じ大きさの絵やマークでまとめてあるか」、「文字が読みやすい大きさになっているか」、「各ページにおいて情報量が大きすぎないか」等のデザインが抽出され、次に、デザイン対応施策抽出モジュール１３０によって、そのデザインに関連する「文字を小さくする」、「カラー使用量を減らす」、「機密内容を同じページにまとめる」等のエコ施策が抽出され、次に、エコ施策抽出モジュール１４０によって、デザイン対応施策抽出モジュール１３０によって抽出されたエコ施策以外のエコ施策である「機密内容を同じページにまとめる」を抽出する。このエコ施策を、文書に対して施したとしても、対象として「役員」、用途として「プレゼンテーション」である場合に重要なデザインに影響を及ぼすことを低くしている。また、対象として「役員」、用途として「プレゼンテーション」である場合に重要なデザインに影響を及ぼすようなエコ施策は抽出しないようにしている。
【００２５】
提示モジュール１９０は、エコ施策抽出モジュール１４０と接続されており、エコ施策抽出モジュール１４０によって抽出されたエコ施策を、受付モジュール１１０によって受け付けられた対象と用途を指示した利用者に提示する。ここで、利用者に提示するとは、受付モジュール１１０が対象と用途を受け付ける際に、利用者が操作したキーボード、マウス、タッチパネル等に接続されているディスプレイ等の提示装置に提示するものである。例えば、文書を提示している領域の隣にエコ施策を提示するようにしてもよい。
【００２６】
図２は、第１の実施の形態による処理例を示すフローチャートである。
ステップＳ２０２では、受付モジュール１１０が、文書の対象と用途を受け付ける。
ステップＳ２０４では、デザイン抽出モジュール１２０が、対象用途デザイン対応記憶モジュール１２５から対象と用途に対応するデザインを抽出する。
ステップＳ２０６では、デザイン対応施策抽出モジュール１３０が、デザイン関連エコ施策記憶モジュール１３５からデザインに対応するエコ施策を抽出する。
ステップＳ２０８では、エコ施策抽出モジュール１４０が、エコ施策記憶モジュール１４５からステップＳ２０６で抽出したエコ施策以外のエコ施策を抽出する。
【００２７】
ステップＳ２１０では、提示モジュール１９０が、ステップＳ２０８で抽出したエコ施策を提示する。図６は、第１の実施の形態による提示例を示す説明図である。提示画面６００は、編集画面領域６１０、編集ガイド領域６２０を有している。編集画面領域６１０は文書を作成するための領域である。その隣の編集ガイド領域６２０に、エコ施策抽出モジュール１４０が抽出したエコ施策を提示する。前述の例（対象として「役員」、用途として「プレゼンテーション」）では、
「デザイン上、今回可能なエコ施策は以下の通りです。
・機密内容は同じページにまとめる。」
のように提示する。
また、デザイン抽出モジュール１２０が抽出したデザインを提示するようにしてもよい。前述の例（対象として「役員」、用途として「プレゼンテーション」）では、
「デザイン上、重視すべきデザインは以下の通りです。
・類似の機能を同じ色、同じ形、同じ大きさの絵やマークでまとめてあるか
・文字が読みやすい大きさになっているか
・各ページにおいて情報量が大きすぎないか」
のように提示する。
【００２８】
＜第２の実施の形態＞
図７は、第２の実施の形態の構成例についての概念的なモジュール構成図である。
第２の実施の形態である情報処理装置は、図７の例に示すように、受付モジュール７１０、デザイン抽出モジュール１２０、対象用途デザイン対応記憶モジュール１２５、デザイン対応施策抽出モジュール１３０、デザイン関連エコ施策記憶モジュール１３５、エコ施策抽出モジュール１４０、エコ施策記憶モジュール１４５、文書分解モジュール７５０、判断モジュール７６０、要素抽出モジュール７７０、提示モジュール７９０を有している。主に、既存の文書を修正する場合に用いられるものである。なお、第１の実施の形態と同種の部位には同一符号を付し重複した説明を省略する（以下、同様）。
【００２９】
受付モジュール７１０は、デザイン抽出モジュール１２０、文書分解モジュール７５０と接続されており、文書とその文書の対象と用途を受け付ける。受け付ける文書は、文書そのもの（文書の実体であるデータ）であってもよいし、文書の名称、ＵＲＬ（Ｕｎｉｆｏｒｍ  Ｒｅｓｏｕｒｃｅ  Ｌｏｃａｔｏｒ）等のその文書が記憶されている格納場所等であってもよい。文書を文書分解モジュール７５０へ渡し、文書の対象と用途をデザイン抽出モジュール１２０へ渡す。
【００３０】
文書分解モジュール７５０は、受付モジュール７１０、判断モジュール７６０と接続されており、受付モジュール７１０によって受け付けられた文書を要素に分解する。ここで、要素とは、文書を構成している要素であって、判断モジュール７６０における判断処理の単位となるものである。例えば、テキスト部分、図、写真、表等の要素がある。さらに、テキスト部分については、構文解析等によって、段落、文章、句、単語等の要素に分解してもよい。また、文字色が他と異なっている文字列を要素として分解してもよい。例えば、文書がＸＭＬ（ｅＸｔｅｎｓｉｂｌｅ  Ｍａｒｋｕｐ  Ｌａｎｇｕａｇｅ）文書等の構造化文書である場合は、タグ情報等を用いて要素に分解する。また、文書がテキスト形式のデータではなく、画像データである場合（例えば、スキャナ等で読み取られた文書画像）は、文書画像解析技術を用いて、テキスト部分、図、写真、表等の要素に分解する。また、テキスト画像部分に対しては、文字認識技術を用いてもよく、さらに文字認識結果に対して構文解析等を行ってもよい。
【００３１】
判断モジュール７６０は、エコ施策抽出モジュール１４０、文書分解モジュール７５０、要素抽出モジュール７７０と接続されており、文書分解モジュール７５０によって分解された要素は、エコ施策抽出モジュール１４０によって抽出されたエコ施策を満たしているか否かを判断する。
この判断に、例えば、エコ施策判断条件テーブル９００を用いてもよい。図９は、エコ施策判断条件テーブル９００のデータ構造例を示す説明図である。エコ施策判断条件テーブル９００は、エコ施策欄９１０、要素の判断欄９２０、表現施策欄９３０を有している。エコ施策欄９１０は、エコ施策を記憶している。例えば、「色を減らす」、「文字を小さくする」等がある。要素の判断欄９２０は、要素の判断条件（エコ施策を満たしていない要素の条件、つまり、そのエコ施策を施すべき要素の条件）を記憶している。例えば、「色を減らす」というエコ施策には「黒以外の色が使われている文字」、「文字を小さくする」というエコ施策には「文字ポイントが１４ポイント以上」等がある。表現施策欄９３０は、提示モジュール７９０が提示するエコ施策の提示形態を記憶している。例えば、「色を減らす」というエコ施策に「「黒字にできませんか？」とポップアップを出す」、「文字を小さくする」というエコ施策には「文字を小さくできませんか？」とポップアップを出す」等がある。なお、ポップアップとは、カーソルがその要素内の領域に位置した場合、その領域内でマウスによるクリックを検知した場合等に、自動的に新しいウィンドウを開いて表示する形式をいう。
判断モジュール７６０は、エコ施策抽出モジュール１４０によって抽出されたエコ施策に該当するエコ施策判断条件テーブル９００のエコ施策欄９１０の行であり、その行の要素の判断欄９２０内の条件に、文書分解モジュール７５０によって分解された要素が合致している場合に、その要素に対してエコ施策欄９１０内のエコ施策を施すべきであることを提示させる。
【００３２】
要素抽出モジュール７７０は、判断モジュール７６０、提示モジュール７９０と接続されており、判断モジュール７６０によってエコ施策を満たしていないと判断された要素を抽出する。要素の判断欄９２０内の条件を満たす要素（エコ施策欄９１０内のエコ施策を施すべき要素）を、文書から抽出する。
【００３３】
提示モジュール７９０は、要素抽出モジュール７７０と接続されており、要素抽出モジュール７７０によって抽出された要素に対応するエコ施策抽出モジュール１４０によって抽出されたエコ施策を、受付モジュール７１０によって受け付けられた文書を指示した利用者に提示する。エコ施策判断条件テーブル９００の表現施策欄９３０に記憶されているエコ施策の提示形態にしたがった提示を行う。ここで、利用者に提示するとは、第１の実施の形態における提示モジュール１９０と同等の意を有する。
【００３４】
図８は、第２の実施の形態による処理例を示すフローチャートである。
ステップＳ８０２では、受付モジュール７１０が、文書とその文書の対象と用途を受け付ける。
ステップＳ８０４では、デザイン抽出モジュール１２０が、対象用途デザイン対応記憶モジュール１２５から対象と用途に対応するデザインを抽出する。
ステップＳ８０６では、デザイン対応施策抽出モジュール１３０が、デザイン関連エコ施策記憶モジュール１３５からデザインに対応するエコ施策を抽出する。
ステップＳ８０８では、エコ施策抽出モジュール１４０が、エコ施策記憶モジュール１４５からステップＳ８０６で抽出したエコ施策以外のエコ施策を抽出する。
【００３５】
ステップＳ８１０では、文書分解モジュール７５０が、対象としている文書を要素に分解する。
ステップＳ８１２では、判断モジュール７６０が、対象とする要素は、ステップＳ８０８で抽出したエコ施策を満たしているか否かを判断し、満たしている場合はステップＳ８１６へ進み、それ以外の場合はステップＳ８１４へ進む。
ステップＳ８１４では、要素抽出モジュール７７０が、該当する要素を抽出する。
ステップＳ８１６では、要素抽出モジュール７７０が、残りの要素はあるか否かを判断し、ある場合はステップＳ８１２からの処理を行い、それ以外の場合はステップＳ８１８へ進む。
【００３６】
ステップＳ８１８では、提示モジュール７９０が、ステップＳ８１４で抽出した要素に対応するエコ施策を提示する。図１０は、第２の実施の形態による提示例を示す説明図である。図１０（ａ）に例示する文書提示画面１０００は、元の文書であり、エコ施策の編集を施していない文書である。図１０（ｂ）に例示の文書提示画面１０００は、提示モジュール７９０によって、エコ施策が提示された状態を示している。まず、文書分解モジュール７５０によって、文書提示画面１０００は、タイトル領域１０１２、文章領域１０１４、赤字領域１０１６、図領域１０１８の要素に分解されている。そして、判断モジュール７６０、要素抽出モジュール７７０によって、黒以外の文字列である赤字領域１０１６、１４ポイント以上の文字がある文章領域１０１４が抽出される。そして、提示モジュール７９０によって、文章領域１０１４に対してエコ施策提示領域１０３４、赤字領域１０１６に対してエコ施策提示領域１０３６がポップアップの形式で提示される。
【００３７】
＜第３の実施の形態＞
図１１は、第３の実施の形態の構成例についての概念的なモジュール構成図である。
第３の実施の形態である情報処理装置は、図１１の例に示すように、受付モジュール７１０、デザイン抽出モジュール１２０、対象用途デザイン対応記憶モジュール１２５、デザイン対応施策抽出モジュール１３０、デザイン関連エコ施策記憶モジュール１３５、エコ施策抽出モジュール１４０、エコ施策記憶モジュール１４５、文書分解モジュール７５０、判断モジュール７６０、要素抽出モジュール７７０、資源使用量差算出モジュール１１８０、提示モジュール１１９０を有している。主に、第２の実施の形態と同様に、既存の文書を修正する場合に用いられるものであり、特に、エコ施策を施した場合の効果を利用者に実感させることによって、修正動機を促進させるために用いられる。
【００３８】
資源使用量差算出モジュール１１８０は、要素抽出モジュール７７０、提示モジュール１１９０と接続されており、要素抽出モジュール７７０によって抽出された要素に、エコ施策抽出モジュール１４０によって抽出されたエコ施策を施した場合の資源の使用量と施さない場合の資源の使用量の差を算出する。ここで資源としては、例えば、その文書を印刷した場合に使用するトナー、用紙等が該当する。
このトナーの使用量の算出処理に、例えば、トナー使用量テーブル１３００を用いてもよい。図１３は、トナー使用量テーブル１３００のデータ構造例を示す説明図である。トナー使用量テーブル１３００は、フォント欄１３１０、文字ポイント数欄１３２０、トナー使用量／１文字（約）欄１３３０を有している。フォント欄１３１０は、フォント種別を記憶している。例えば、ゴシック、明朝等である。文字ポイント数欄１３２０は、文字ポイント数を記憶している。トナー使用量／１文字（約）欄１３３０は、そのフォント種別でその文字ポイント数の文字を印刷した場合に使用するトナー量を記憶している。例えば、１文字あたりのトナー使用量をミリグラム（ｍｇ）で表した値を記憶している。また、これらをＣＯ２量に還元した値であってもよい。このトナー使用量テーブル１３００を用いて、エコ施策を施した場合と施さなかった場合のトナー使用量の差を算出する。
用紙の使用量の差は、エコ施策を施した場合と施さなかった場合の文書のページ数を計数することによって算出し得る。例えば、印刷する用紙のページ数は、文書エディタ等に備えられている「印刷のプレビュー」等の機能を用いて計数してもよい。
【００３９】
提示モジュール１１９０は、資源使用量差算出モジュール１１８０と接続されており、第２の実施の形態の提示モジュール７９０による提示の他に、さらに資源使用量差算出モジュール１１８０によって算出された資源の使用量の差を提示する。
【００４０】
図１２は、第３の実施の形態による処理例を示すフローチャートである。
ステップＳ１２０２では、受付モジュール７１０が、文書とその文書の対象と用途を受け付ける。
ステップＳ１２０４では、デザイン抽出モジュール１２０が、対象用途デザイン対応記憶モジュール１２５から対象と用途に対応するデザインを抽出する。
ステップＳ１２０６では、デザイン対応施策抽出モジュール１３０が、デザイン関連エコ施策記憶モジュール１３５からデザインに対応するエコ施策を抽出する。
ステップＳ１２０８では、エコ施策抽出モジュール１４０が、エコ施策記憶モジュール１４５からステップＳ１２０６で抽出したエコ施策以外のエコ施策を抽出する。
ステップＳ１２１０では、文書分解モジュール７５０が、対象としている文書を要素に分解する。
ステップＳ１２１２では、判断モジュール７６０が、対象とする要素は、ステップＳ１２０８で抽出したエコ施策を満たしているか否かを判断し、満たしている場合はステップＳ１２１６へ進み、それ以外の場合はステップＳ１２１４へ進む。
ステップＳ１２１４では、要素抽出モジュール７７０が、該当する要素を抽出する。
ステップＳ１２１６では、要素抽出モジュール７７０が、残りの要素はあるか否かを判断し、ある場合はステップＳ１２１２からの処理を行い、それ以外の場合はステップＳ１２１８へ進む。
【００４１】
ステップＳ１２１８では、資源使用量差算出モジュール１１８０が、使用トナー量の差を算出する。
ステップＳ１２２０では、資源使用量差算出モジュール１１８０が、用紙枚数の差を算出する。
ステップＳ１２２２では、提示モジュール１１９０が、ステップＳ１２１４で抽出した要素に対応するエコ施策を提示する。
ステップＳ１２２４では、提示モジュール１１９０が、使用トナー量又は用紙枚数に変化があるか否かを判断し、変化がある場合はステップＳ１２２６へ進み、それ以外の場合は処理を終了する（ステップＳ１２９９）。
【００４２】
ステップＳ１２２６では、提示モジュール１１９０が、差（変化量）をエコ施策に合わせて提示する。図１４は、第３の実施の形態による提示例を示す説明図である。図１４に例示の文書提示画面１０００内のエコ施策・効果提示領域１４３４は、文章領域１０１４に対して、資源使用量差算出モジュール１１８０によって算出された資源使用量の差を提示したものである。図１０に例示の第３の実施の形態による提示例であるエコ施策提示領域１０３４と比べると、「１ポイント小さくすると「トナー量１ｍｇ」の環境負荷低減効果があります」と提示を付加している。
【００４３】
＜第４の実施の形態＞
図１５は、第４の実施の形態の構成例についての概念的なモジュール構成図である。
第４の実施の形態である情報処理装置は、図１５の例に示すように、受付モジュール７１０、デザイン抽出モジュール１２０、対象用途デザイン対応記憶モジュール１２５、デザイン対応施策抽出モジュール１３０、デザイン関連エコ施策記憶モジュール１３５、エコ施策抽出モジュール１４０、エコ施策記憶モジュール１４５、文書分解モジュール７５０、判断モジュール７６０、要素抽出モジュール７７０、エコ施策実施モジュール１５８０、実施割合算出モジュール１５８５、提示モジュール１５９０を有している。主に、第２の実施の形態と同様に、既存の文書を修正する場合に用いられるものであり、特に、エコ施策の実施の進捗を利用者に提示させて、修正動機を促進させるために用いられる。
【００４４】
エコ施策実施モジュール１５８０は、要素抽出モジュール７７０、実施割合算出モジュール１５８５と接続されており、利用者の操作に応じて、要素抽出モジュール７７０によって抽出された要素に対して、エコ施策抽出モジュール１４０によって抽出されたエコ施策を実施する。
実施割合算出モジュール１５８５は、エコ施策実施モジュール１５８０、提示モジュール１５９０と接続されており、要素抽出モジュール７７０によって抽出された要素の数に対する、エコ施策抽出モジュール１４０によって抽出されたエコ施策を施した要素の数の割合を算出する。要素抽出モジュール７７０によって抽出された要素の数は、その文書に対して実施し得るエコ施策の数である。したがって、算出する割合は、エコ施策の実施の進捗度合を示すことになる。
提示モジュール１５９０は、要素抽出モジュール７７０、実施割合算出モジュール１５８５と接続されており、第２の実施の形態の提示モジュール７９０による提示の他に、さらに実施割合算出モジュール１５８５によって算出された割合を提示する。
【００４５】
図１６、図１７は、第４の実施の形態による処理例を示すフローチャートである。
ステップＳ１６０２では、受付モジュール７１０が、文書とその文書の対象と用途を受け付ける。
ステップＳ１６０４では、デザイン抽出モジュール１２０が、対象用途デザイン対応記憶モジュール１２５から対象と用途に対応するデザインを抽出する。
ステップＳ１６０６では、デザイン対応施策抽出モジュール１３０が、デザイン関連エコ施策記憶モジュール１３５からデザインに対応するエコ施策を抽出する。
ステップＳ１６０８では、エコ施策抽出モジュール１４０が、エコ施策記憶モジュール１４５からステップＳ１６０６で抽出したエコ施策以外のエコ施策を抽出する。
ステップＳ１６１０では、文書分解モジュール７５０が、対象としている文書を要素に分解する。
ステップＳ１６１２では、判断モジュール７６０が、対象とする要素は、ステップＳ１６０８で抽出したエコ施策を満たしているか否かを判断し、満たしている場合はステップＳ１６１６へ進み、それ以外の場合はステップＳ１６１４へ進む。
ステップＳ１６１４では、要素抽出モジュール７７０が、該当する要素を抽出する。
ステップＳ１６１６では、要素抽出モジュール７７０が、残りの要素はあるか否かを判断し、ある場合はステップＳ１６１２からの処理を行い、それ以外の場合はステップＳ１６１８へ進む。
【００４６】
ステップＳ１６１８では、提示モジュール１５９０が、ステップＳ１６１４で抽出した要素に対応するエコ施策を提示する。
ステップＳ１６２０では、エコ施策実施モジュール１５８０が、操作者の操作に応じたエコ施策を実施する。
ステップＳ１６２２では、実施割合算出モジュール１５８５が、ステップＳ１６１２でＹｅｓと判断された要素の数を計数する。
ステップＳ１６２４では、実施割合算出モジュール１５８５が、実施エコ施策数：Ｎ＝０とする。
ステップＳ１６２６では、実施割合算出モジュール１５８５が、現在編集中の文書におけるエコ施策を抽出する。
【００４７】
ステップＳ１６２８では、実施割合算出モジュール１５８５が、エコ施策はエコ施策実施モジュール１５８０によって実施済みか否かを判断し、実施済みの場合はステップＳ１６３０へ進み、それ以外の場合はステップＳ１６３２へ進む。
ステップＳ１６３０では、実施割合算出モジュール１５８５が、Ｎ＝Ｎ＋１とする。つまり、実施済みのエコ施策を計数している。
ステップＳ１６３２では、実施割合算出モジュール１５８５が、現在編集中の文書における残りのエコ施策はあるか否かを判断し、ある場合はステップＳ１６２６からの処理を行い、それ以外の場合はステップＳ１６３４へ進む。
ステップＳ１６３４では、実施割合算出モジュール１５８５が、エコ施策の実施割合を算出する。より具体的には、以下の式による。
（実施されたエコ施策数／現在編集中の文書におけるエコ施策の総数）＊１００
なお、分子の「実施されたエコ施策数」は、分母の「現在編集中の文書におけるエコ施策の総数」の中での実施数である。
【００４８】
ステップＳ１６３６では、提示モジュール１５９０が、実施割合を提示する。図１８は、第４の実施の形態による提示例を示す説明図である。文書提示画面１０００の隣にエコ施策実施割合提示領域１８１０を設け、実施割合算出モジュール１５８５によって算出された割合を提示している。なお、文書提示画面１０００には、第２の実施の形態による提示例である図１０（ｂ）に例示したものと同様の提示である。
【００４９】
なお、本実施の形態としてのプログラムが実行されるコンピュータのハードウェア構成は、図１９に例示するように、一般的なコンピュータであり、具体的にはパーソナルコンピュータ、サーバーとなり得るコンピュータ等である。つまり、具体例として、処理部（演算部）としてＣＰＵ１９０１を用い、記憶装置としてＲＡＭ１９０２、ＲＯＭ１９０３、ＨＤ１９０４を用いている。ＨＤ１９０４として、例えばハードディスクを用いてもよい。デザイン抽出モジュール１２０、デザイン対応施策抽出モジュール１３０、エコ施策抽出モジュール１４０、文書分解モジュール７５０、判断モジュール７６０、要素抽出モジュール７７０、資源使用量差算出モジュール１１８０、エコ施策実施モジュール１５８０、実施割合算出モジュール１５８５等のプログラムを実行するＣＰＵ１９０１と、そのプログラムやデータを記憶するＲＡＭ１９０２と、本コンピュータを起動するためのプログラム等が格納されているＲＯＭ１９０３と、補助記憶装置であるＨＤ１９０４と、キーボード、マウス、タッチパネル等に対する利用者の操作に基づいてデータを受け付ける受付装置１９０６と、ＣＲＴ、液晶ディスプレイ等の出力装置１９０５と、ネットワークインタフェースカード等の通信ネットワークと接続するための通信回線インタフェース１９０７、そして、それらをつないでデータのやりとりをするためのバス１９０８により構成されている。これらのコンピュータが複数台互いにネットワークによって接続されていてもよい。
【００５０】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１９に示すハードウェア構成は、１つの構成例を示すものであり、本実施の形態は、図１９に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図１９に示すシステムが複数互いに通信回線によって接続されていて互いに協調動作するようにしてもよい。また、特に、パーソナルコンピュータの他、情報家電、複写機、ファックス、スキャナ、プリンタ、複合機（スキャナ、プリンタ、複写機、ファックス等のいずれか２つ以上の機能を有している画像処理装置）などに組み込まれていてもよい。
【００５１】
なお、前述の各種の実施の形態を組み合わせてもよく（例えば、ある実施の形態内のモジュールを他の実施の形態内に追加する、入れ替えをする等も含む）、また、各モジュールの処理内容として背景技術で説明した技術を採用してもよい。特に、第３の実施の形態と第４の実施の形態を組み合わせてもよく、例えば、第３の実施の形態の資源使用量差算出モジュール１１８０を第４の実施の形態の要素抽出モジュール７７０、提示モジュール１５９０と接続し、提示モジュール１５９０の提示内容として、第３の実施の形態の提示モジュール１１９０の提示内容を付加すればよい。
【００５２】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００５３】
１１０…受付モジュール
１２０…デザイン抽出モジュール
１２５…対象用途デザイン対応記憶モジュール
１３０…デザイン対応施策抽出モジュール
１３５…デザイン関連エコ施策記憶モジュール
１４０…エコ施策抽出モジュール
１４５…エコ施策記憶モジュール
１９０…提示モジュール
７１０…受付モジュール
７５０…文書分解モジュール
７６０…判断モジュール
７７０…要素抽出モジュール
７９０…提示モジュール
１１８０…資源使用量差算出モジュール
１１９０…提示モジュール
１５８０…エコ施策実施モジュール
１５８５…実施割合算出モジュール
１５９０…提示モジュール
【図１】
2012068806.tif 000003
【図２】
2012068806.tif 000004
【図３】
2012068806.tif 000005
【図４】
2012068806.tif 000006
【図５】
2012068806.tif 000007
【図６】
2012068806.tif 000008
【図７】
2012068806.tif 000009
【図８】
2012068806.tif 000010
【図９】
2012068806.tif 000011
【図１０】
2012068806.tif 000012
【図１１】
2012068806.tif 000013
【図１２】
2012068806.tif 000014
【図１３】
2012068806.tif 000015
【図１４】
2012068806.tif 000016
【図１５】
2012068806.tif 000017
【図１６】
2012068806.tif 000018
【図１７】
2012068806.tif 000019
【図１８】
2012068806.tif 000020
【図１９】
2012068806.tif 000021